(57)【特許請求の範囲】
【請求項１】
一側面に出入口が形成されて内部に収容部が形成される第１ボディと、
前記収容部に収容されて前記出入口から外部に引き出されるディスプレイを有する第２ボディと、
前記出入口に装着され、該出入口を開閉するドアと、を含み、
前記第２ボディは前記第１ボディにヒンジ連結部により回転可能に連結され、
前記ヒンジ連結部は、前記第２ボディの一側面に直角に突設されるヒンジ軸と、該ヒンジ軸が回転可能に支持されるように前記第１ボディの一側に形成されるヒンジハウジングと、から構成され、
前記ヒンジ連結部は、前記ヒンジ軸とヒンジハウジングの間に設置されて前記第２ボディを開方向に付勢する弾性部材をさらに含み、
前記第１ボディは、その上部が開放され、その一側面に前記第２ボディが出入りする出入口が形成されることを特徴とし、
前記ドアは、前記第２ボディが前記第１ボディから引き出されるように押されるときに回転させられるように構成される第１および第２スイングドアを含む、携帯端末機。
【発明の詳細な説明】
【技術分野】
【０００１】
本発明は携帯端末機に関し、より詳しくは、ディスプレイを有する第２ボディが第１ボディに引出可能に収容される携帯端末機に関する。
【背景技術】
【０００２】
図６は従来の携帯端末機の斜視図である。
【０００３】
従来の携帯端末機は情報を表示するディスプレイ１０２、１０４が備えられてサウンドを発生させるスピーカ１０６が装着される蓋部１０８と、該蓋部１０８に回転可能に連結されてその前面に情報を入力するキーパッド１１０とユーザの音声信号を送信するマイク１１２が装着され、後面にバッテリ１１４が装着される端末機本体１１６と、該端末機本体１１６の上段と前記蓋部１０８の下段の間に連結されて前記端末機本体１１６と蓋部１０８の間を回転可能に支持するヒンジ連結部１２０と、から構成される。
【０００４】
前記ディスプレイ１０２、１０４は前記蓋部１０８の内側面に装着されて該蓋部１０８を開くと、外部に露出するメインディスプレイ１０２と、前記蓋部１０８の外側面に装着されて前記蓋部１０８が折り畳まれた状態で情報を表示するサブディスプレイ１０４と、から構成される。
【発明の開示】
【発明が解決しようとする課題】
【０００５】
しかし、前記のように構成される従来の携帯端末機は、蓋部が折り畳まれた状態の時にも情報を表示し得るようにサブディスプレイとメインディスプレイの２つのディスプレイを必要とするために、製造コストが増加するという問題点があった。
【０００６】
また、サブディスプレイは常に外部に露出した状態であるために、外部の衝撃によりサブディスプレイが損傷するという問題点があった。
【０００７】
本発明は前記従来技術の問題点を解決するためになされたもので、ディスプレイを有する第２ボディが第１ボディの内部に収容されて外部の衝撃からディスプレイユニットを保護し得る携帯端末機を提供することを目的とする。
【０００８】
また、第１ボディに透明ウィンドウを設置して第２ボディが第１ボディに収容された状態の時にも透明ウィンドウからディスプレイに表示される情報が見えるようにして１つのディスプレイのみを使用することにより、製造コストを減少し得る携帯端末機を提供することを目的とする。
【０００９】
また、第２ボディが第１ボディに収容され、使用される時に第１ボディの側面からスイングしながら引き出されるようにすることにより、デザインに優れ、ユーザに特別な面白さを与える携帯端末機を提供することを目的とする。
【課題を解決するための手段】
【００１０】
前記課題を実現するための本発明による携帯端末機は、一側面に出入口が形成されて内部に収容部が形成される第１ボディと、前記収容部に収容されて前記出入口から外部に引き出されるディスプレイを有する第２ボディと、から構成されることを特徴とする。
【００１１】
前記第２ボディには情報を表示するディスプレイが装着されることを特徴とする。
【００１２】
前記第１ボディには、前記収容部に第２ボディが収容された状態の時に前記ディスプレイの一部が見えるようにする透明ウィンドウが設置されることを特徴とする。
【００１３】
前記第２ボディは第１ボディにヒンジ連結部により回転可能に連結され、該ヒンジ連結部は、前記第２ボディの一側面に直角に突設されるヒンジ軸と、該ヒンジ軸が回転可能に支持されるように前記第１ボディの一側に形成されるヒンジハウジングと、から構成されることを特徴とする。
【００１４】
前記第２ボディは第１ボディにヒンジ連結されて前記第１ボディの側方向に引き出されて１８０度回転することを特徴とする。
【００１５】
前記第２ボディはその上部が開放され、その一側面に前記第２ボディが出入りする出入口が形成され、該出入口には該出入口を開閉するドアが装着されることを特徴とする。
【００１６】
前記ドアは前記第２ボディが引き出される時に該第２ボディの押す力により開く両方向に開放されるドアであることを特徴とする。
【００１７】
前記第１ボディと第２ボディの間に設置され、前記第２ボディが第１ボディの収容部に収容された状態の時に前記第２ボディをロックするロックユニットをさらに含み、該ロックユニットは、前記第２ボディの側面に形成されるロック溝と、前記第１ボディの側面に形成されたガイド溝に沿って摺動可能に配置される操作ボタンと、該操作ボタンに設置されて前記ロック溝に係合されるロックフックと、から構成されることを特徴とする。
【００１８】
上記目的を達成するために、本発明は、例えば、以下の手段を提供する：
（項目１）
一側面に出入口が形成されて内部に収容部が形成される第１ボディと、
前記収容部に収容されて前記出入口から外部に引き出されるディスプレイを有する第２ボディと、を含むことを特徴とする携帯端末機。
（項目２）
前記第１ボディの前面には情報を入力するキーパッドが装着され、その後面にはバッテリが装着されることを特徴とする項目１に記載の携帯端末機。
（項目３）
前記第２ボディには情報を表示するディスプレイが装着されることを特徴とする項目１に記載の携帯端末機。
（項目４）
前記第１ボディには、前記収容部に第２ボディが収容された状態の時に前記ディスプレイの一部が見えるようにする透明ウィンドウが設置されることを特徴とする項目３に記載の携帯端末機。
（項目５）
前記ディスプレイは、第１ボディが第２ボディに収容された状態の時には前記透明ウィンドウから見える一部分のみが表示されることを特徴とする項目４に記載の携帯端末機。
（項目６）
前記第２ボディは第１ボディにヒンジ連結部により回転可能に連結されることを特徴とする項目１に記載の携帯端末機。
（項目７）
前記ヒンジ連結部は、前記第２ボディの一側面に直角に突設されるヒンジ軸と、該ヒンジ軸が回転可能に支持されるように前記第１ボディの一側に形成されるヒンジハウジングと、から構成されることを特徴とする項目６に記載の携帯端末機。
（項目８）
前記ヒンジ連結部は、前記ヒンジ軸とヒンジハウジングの間に設置されて前記第２ボディを開方向に付勢する弾性部材をさらに含むことを特徴とする項目７に記載の携帯端末機。
（項目９）
前記第２ボディは第１ボディの側方向に引き出されることを特徴とする項目１に記載の携帯端末機。
（項目１０）
前記第２ボディは第１ボディにヒンジ連結されて前記第１ボディの側方向に引き出されて１８０度回転することを特徴とする項目１に記載の携帯端末機。
（項目１１）
前記第２ボディは、その上部が開放され、その一側面に前記第２ボディが出入りする出入口が形成されることを特徴とする項目１に記載の携帯端末機。
（項目１２）
前記出入口には該出入口を開閉するドアが装着されることを特徴とする項目１１に記載の携帯端末機。
（項目１３）
前記ドアは前記第２ボディが引き出される時に該第２ボディの押す力により開く両方向に開放されるドアであることを特徴とする項目１２に記載の携帯端末機。
（項目１４）
前記第１ボディの開放された上部は第２ボディの一側面により遮られた状態を維持することを特徴とする項目１１に記載の携帯端末機。
（項目１５）
前記第１ボディと第２ボディの間に設置され、前記第２ボディが第１ボディの収容部に収容された状態の時に前記第２ボディをロックするロックユニットをさらに含むことを特徴とする項目１に記載の携帯端末機。
（項目１６）
前記ロックユニットは、
前記第２ボディの側面に形成されるロック溝と、
前記第１ボディの側面に形成されたガイド溝に沿って摺動可能に配置される操作ボタンと、
該操作ボタンに設置されて前記ロック溝に係合されるロックフックと、から構成されることを特徴とする項目１５に記載の携帯端末機。
（項目１７）
前記操作ボタンの側面には該操作ボタンを元の状態に戻すリターンスプリングが設置されることを特徴とする項目１６に記載の携帯端末機。
【発明の効果】
【００１９】
本発明による携帯端末機はディスプレイを有する第２ボディが第１ボディに形成された収容部に収容された状態で配置されるため、ディスプレイが外部に露出する部分がなく、外部の衝撃によってディスプレイが損傷することを防止し得るという効果がある。
【００２０】
また、第２ボディが第１ボディに収容された状態を維持している時にロックが解除されると、第１ボディの側方向に回転しながら収容部から引き出されるように構成されてデザインを向上させ、ユーザに面白さを与え得るという効果がある。
【００２１】
また、第２ボディが第１ボディの収容部に収容された状態の時、第１ボディに形成された透明ウィンドウから第２ボディに装着されたディスプレイに表示される情報が見えるため、１つのディスプレイのみを具備すればよいので製造コストを減少し得るという効果がある。
【発明を実施するための最良の形態】
【００２２】
以下、添付図面を参照して本発明によるスライド型携帯端末機の実施形態について説明する。
【００２３】
本発明によるスライド型携帯端末機の実施形態としては複数存在するが、以下、最も好ましい実施形態について説明する。
【００２４】
図１は本発明の一実施形態による携帯端末機の折り畳まれた状態の斜視図であり、図２は本発明の一実施形態による携帯端末機が開いた状態の斜視図であり、図３は本発明の一実施形態による携帯端末機の断面図であり、図４は図３のＡ部の拡大図である。
【００２５】
本発明の一実施形態による携帯端末機は内部に第２ボディ２０が収容される収容部１２が形成される第１ボディ１０と、該第１ボディ１０に回転可能にヒンジ連結されて収容部１２に内蔵される第２ボディ２０と、から構成される。
【００２６】
前記第１ボディ１０は、その一側面に前記第２ボディ２０が外部に引き出される出入口３８が長手方向に形成され、その上面は前記第２ボディ２０が引き出されるように開放された形態で形成される。そして、前記出入口３８には該出入口３８を開閉して前記第１ボディ１０の内部に埃及びその他の異物が流入することを防止するドア１８が装着される。
【００２７】
また、前記第１ボディ１０の開放された上面は前記第２ボディ２０が第１ボディ１０に収容された状態の時、前記第２ボディ２０の一側面により遮られた状態になって埃及び異物が前記第１ボディ１０の内部に流入することを防止する。
【００２８】
前記ドア１８は前記第２ボディ２０の押す力により両方向に開くドアであり、前記出入口３８の一側面に長手方向にヒンジ連結される第１ドア１４と、該第１ドア１４と対向するように配置されて前記出入口３８の他側面に長手方向にヒンジ連結される第２ドア１６と、から構成される。ここで、前記第１ドア１４と第２ドア１６のヒンジ軸上にはスプリングが設置され、前記第１ドア１４と第２ドア１６を出入口３８が閉じる方向に付勢する。
【００２９】
前記第１ボディ１０の前面には情報を入力するキーパッド２２が外部に露出した状態で配置され、その後面にはバッテリ２４が装着される。また、前記第１ボディ１０の前面には前記第２ボディ２０が第１ボディ１０の収容部１２に収容された状態の時、前記第２ボディ２０に装着されたディスプレイ３０に表示される情報を見ることができるようにする透明ウィンドウ３６が設置される。
【００３０】
前記第２ボディ２０には情報を表示するディスプレイ３０が装着される。ここで、該ディスプレイ３０は第２ボディの全面にわたって形成されてワイド画面を実現することができ、前記第２ボディ２０が前記第１ボディ１０の収容部１２に収容された状態の時には前記透明ウィンドウ３６から見える部分にのみ部分的に情報が表示される。
【００３１】
前記第１ボディ１０と第２ボディ２０の間は前記第１ボディ１０を回転可能に支持するヒンジ連結部４０が装着される。
【００３２】
前記第２ボディ２０は前記ヒンジ連結部４０により前記第１ボディ１０から引き出されると、１８０度回転して前記第１ボディ１０の上方に位置する。
【００３３】
前記ヒンジ連結部４０は前記第２ボディ２０の一端部の側面に直角に突設されるヒンジ軸４２と、該ヒンジ軸４２が回転可能に支持されるように前記第１ボディ１０の一側に形成されるヒンジハウジング４４と、から構成される。
【００３４】
前記ヒンジ軸４２は前記第２ボディ２０が第１ボディ１０の側方向に回転するように前記第２ボディ２０の後面中央に直角に突設され、前記ヒンジハウジング４４は前記第１ボディ１０の上側内部に第１ボディ１０の厚さ方向に円筒状に形成される。また、前記ヒンジ軸４２の端部には該ヒンジ軸４２がヒンジハウジング４４から離脱することを防止するスナップリング４８が装着される。
【００３５】
前記ヒンジハウジング４４の外周面には弾性部材４６が配置され、前記第２ボディ２０を開方向に付勢する。すなわち、前記弾性部材４６はコイルばねから構成され、前記ヒンジハウジング４４の外周面に巻回され、その一端は前記ヒンジハウジング４４に固定され、他端は前記ヒンジ軸４２に固定されて該ヒンジ軸４２に回転力を付与する。
【００３６】
前記第１ボディ１０と第２ボディ２０の間には、前記第２ボディ２０が第１ボディ１０に収容された状態を維持するために、前記第２ボディ２０が第１ボディ１０の収容部１２に収容されると前記第１ボディ１０をロックするロック装置５０が設置される。
【００３７】
該ロック装置５０は図５に示すように、前記第１ボディ１０の側面に形成されたガイド孔５２に直線移動可能に配置される操作ボタン５４と、該操作ボタン５４に一体に形成されるロックフック５６と、前記第２ボディ２０の側面に形成されて前記ロックフック５６が係合されるロック溝５８と、から構成される。前記操作ボタン５４とガイド孔５２内面の間には前記操作ボタン５４を元の状態に戻すリターンスプリング６０が設置される。
【００３８】
以下、前記のように構成される本発明による携帯端末機の動作について説明する。
【００３９】
まず、前記第２ボディ２０が前記第１ボディ１０の収容部１２に収容された状態の時には前記ロックフック５６が前記ロック溝５８に係合された状態となり、前記第２ボディ２０が第１ボディ１０に収容された状態を維持する。この時、前記第２ボディ２０に設置される透明ウィンドウ３６から、第２ボディ２０に装着されて情報を表示するディスプレイ３０が見えるようにする。この時、該ディスプレイ３０には前記透明ウィンドウ３６から見える一部分にのみ情報が表示される。
【００４０】
また、前記第１ボディ１０に形成されて前記第２ボディ２０が出入りする出入口３８にはドア１８が設置されて外部の異物が第１ボディ１０の内部に流入することを遮断する。
【００４１】
このような状態において、ユーザが端末機を使用するために前記操作ボタン５４を上方に押し上げると、前記ロックフック５６が前記ロック溝５８から離脱して前記第２ボディ２０のロックを解除する。次いで、前記弾性部材６０の弾性力により前記第２ボディ２０は側方向に回転し、前記第１ボディ１０に装着されたドア１８を押すことにより前記ドア１８が開放され、前記第２ボディ２０が前記第１ボディ１０の収容部１２から引き出されて前記第１ボディ１０の上方に位置する。すなわち、前記弾性部材４６は前記第２ボディ２０に形成されるヒンジ軸４２に圧縮された状態で配置され、前記第２ボディ２０のロックが解除されると、弛緩して前記ヒンジ軸４２を回転させる。次いで、前記ヒンジ軸４２と連結された第２ボディ２０が回転しながら前記第１ボディ１０から引き出される。
【００４２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４３】
【図１】本発明による携帯端末機の折り畳まれた状態を示す斜視図である。
【図２】本発明による携帯端末機の開いた状態の斜視図である。
【図３】本発明による携帯端末機の断面図である。
【図４】図３Ａ部の拡大図である。
【図５】本発明による携帯端末機のロック装置の断面図である。
【図６】従来の携帯端末機の斜視図である。
【符号の説明】
【００４４】
１０：第１ボディ
１２：収容部
１４：第１ドア
１６：第２ドア
１８：ドア
２０：第２ボディ
２２：キーパッド
２４：バッテリ
３０：ディスプレイ
３８：出入口
４０：ヒンジ連結部
４２：ヒンジ軸
４４：ヒンジハウジング
４６：弾性部材
５０：ロック装置
５２：ガイド孔
５４：操作ボタン
５６：ロックフック
５８：ロック溝
【図１】
0005252677.tif 000002
【図２】
0005252677.tif 000003
【図３】
0005252677.tif 000004
【図４】
0005252677.tif 000005
【図５】
0005252677.tif 000006
【図６】
0005252677.tif 000007